【事件の表示】
　平成　３年特許願第１１８９４４号「遊技機」拒絶査定に対する審判事件［平成　４年１２月　２日出願公開、特開平　４−３４７１９０］について、次のとおり審決する。
【結　論】
　本件審判の請求は、成り立たない。
【理　由】
［１］手続の経緯・本願発明。
　本願は、平成３年５月２４日の出願であって、特許請求の範囲に記載された請求項１乃至３に係わる発明は、当該請求項１乃至３に記載された次のとおりのものと認める（以下「本願発明１乃至３」という）。　
　【請求項１】　遊技に関わる情報が移動表示される表示装置を備えた遊技機であって、　前記表示装置は、複数の表示素子がマトリックス状に配設され、該複数の表示素子が選択的に表示駆動することにより表示動作を行ない、制御用プログラムに従って動作するプロセッサを有し、前記複数の表示素子を表示制御する表示制御手段を含み、
　該表示制御手段は、
　前記制御用プログラムに従って動作して、前記複数の表示素子を表示駆動させるための信号を表示素子列毎に順次出力する表示信号出力手段と、
　前記制御用プログラムに従って動作して、前記表示信号出力手段により出力される信号に対応する表示素子列を指定するためのアドレス信号を生成し、該生成したアドレス信号を出力するアドレス信号出力手段とを含み、　前記遊技機は、さらに、前記アドレス信号出力手段から出力されたアドレス信号をデコードして該アドレス信号に対応する表示素子列を選択し、該選択した表示素子列が前記表示信号出力手段から出力された信号に対応して表示駆動可能となるように、当該表示素子列を能動化させるための信号を出力する能動化信号出力手段を含み、　
　該能動化信号出力手段が前記表示制御手段とは独立して設けられた集積回路からなることを特徴とする、遊技機。　
　　【請求項２】　前記表示装置は、表示状態が変化可能な可変表示部を有し、該可変表示部の表示結果が予め定められた特定の表示態様となった場合に所定の遊技価値を付与可能となるように定められた可変表示装置で構成されていることを特徴とする、請求項１に記載の遊技機。　
　【請求項３】　前記アドレス信号出力手段は、表示素子列の数に対応した更新範囲内で数値データを更新する数値データ更新手段を含み、該数値データ更新手段の更新値に対応する表示素子列を指定するためのアドレス信号を出力することを特徴とする、請求項１または請求項２に記載の遊技機。　
　　
　　
［２］刊行物に記載された発明。
　原査定の拒絶理由に引用された
（１）実願昭６２−７９９９０号（実開昭６３−１８８０７７号）のマイクロフィルム、
（２）特開昭５４−１５０９２６号公報、
（３）特開昭６１−２５９２９２号公報、
　さらに、本願発明出願前に頒布された刊行物である、　　
（４）実願昭６３−１６６１６４号（実開平２−８５４８１号）のマイクロフィルム、
（５）特開平１−２６６５９５号公報
　には、各々以下の事項が記載されている。　　
　
（１）実願昭６２−７９９９０号（実開昭６３−１８８０７７号）のマイクロフィルム（以下「刊行物１」という）。　
　（１−１）．「〈問題点を解決するための手段〉　　本考案は上記に鑑み提案されたもので、縦横複数のＬＥＤ素子を配列した表示基板を第１基板の前面に添設すると共に、上記第１基板にはチップ素子を配設して電気回路を形成し、第２基板にはＭＣＵを有する処理部を形成すると共に、該第２基板にはパチンコ機の制御装置に連絡可能な外部接続端子を設け、上記第１基板と第２基板とを電気的に接続したものである。　
〈作用〉　　第１基板に添設した表示基板のＬＥＤ素子を第２基板に形成したＭＣＵを有する処理部により制御することができ、上記ＬＥＤ素子を選択発光させることにより図柄などを表示することができる。」（第３頁第４〜１８行）　　
　（１−２）．「上記のような表示装置１は、処理部６を含めて例えば９０Ｘ４５Ｘ２５ｍｍ以内に構成でき、一つの表示基板について１０Ｘ１０ドットの図柄表示が可能である。
　本考案に係わる表示装置１は、例えば第４図に示すようなブロック回路を有する制御装置１６によって制御される。しかし、本考案では表示装置１自体も処理部６を有しているので、制御装置１６のメインＭＣＵ１７の負担が軽くなると共に、配線接続が極めて簡単になる。即ち、メインＭＣＵ１７はセンター役物１８などに設けた継続スイッチ１９、１０カウントスイッチ２０、始動口スイッチ２１、駆動ソレノイド２２、あるいは電子音発生回路２３，ランプ表示器２４などを制御し、一方、本考案に係わる表示装置１が内蔵する処理部６はメイン回路からデータ及びリセット信号を受け取って、表示基板４に配列した各ＬＥＤ素子９を制御して所定の図柄、文字などを表示する。・・・。そして、本考案によれば、データ４本、電源２本、リセット１本、割込１本、制御信号（８ビットの上下、明暗、桁選択）３本の計１１本の配線で足りるが、従来のようにメインＭＣＵ１７に頼る場合には少なくとも４０本の配線が必要である。また、表示装置１の各ＬＥＤ素子９をメインＭＣＵ１７で制御する場合には処理時間が長くなって表示がチラ付い見難いものになってしまう。」（第５頁第１０〜第６頁末行）　
　してみると、　
　（１−３）．刊行物１には、パチンコ機において、センター役物１８などに設けた継続スイッチ１９、１０カウントスイッチ２０、始動口スイッチ２１、駆動ソレノイド２２、あるいは電子音発生回路２３，ランプ表示器２４などを制御するメインＭＣＵ１７とは別に、複数のＬＥＤ素子をマトリックス状に配設した表示装置自体にも処理部を具備させ、当該処理部においてメイン回路からデータ及びリセット信号を受け取って、ＬＥＤ素子９を制御して所定の図柄、文字などを表示することにより、メインＭＣＵ１７の負担を軽くすることが記載されており、さらに、メインＭＣＵ１７はセンター役物などパチンコ遊技機を制御し、そのデータを処理部に送り、処理部のＭＣＵ５によりＬＥＤ素子９が制御されるものであるから、当該ＭＣＵは制御用プログラムに従って動作するものであることは明らかである。　　
　　
（２）特開昭５４−１５０９２６号公報（以下「刊行物２」という）　　
　（２−１）．「しかして、まず、メモリー１２から第１番目のディスプレイ部８の文字コードが読みだされ、それがキャラクタジェネレータ５へ送られる。キャラクタジェネレータ５ではアドレスカウンタ３からの信号と、コントロール信号発生部１０からの信号とを受けてディスプレイ部８の横の列を選び出す。ディスプレイ部８の縦の列はアドレスカウンタ３からの２進信号をアドレスデコーダ４でデコードすることで選ばれる。そして、クロック発生回路２からのクロックによりアドレスカウンタ３が１つ進むと、ディスプレイ部８の縦の列が１つ進み、それと同時にキャラクタジェネレータ５からの横の信号も変化して行く。そして、ディスプレイ部８の縦の列が５つ進むとアドレスカウンタ３からのケタ上げパルスによりディスプレイスキャナー９が１つ進み、第２番目のディスプレイ部８が選ばれ、発光ダイオードセレクトドライバー７のゲートが開けられ、又第１番目のディスプレイ部８の時と同じような動作がくりかえされ、これが１６番目のディスプレイ部８まで進んでいく。」（第２頁右下欄第１０行〜第３頁左上欄第１０行）　
　（２−２）．「そして、ｔ１という時間には発光ダイオードディスプレイ部８の一番左側の列が選択され、しかも゛Ｆ″を表示するためには一番左側の列の発光ダイオード７コは全部点灯しなければならない。このため、ｔ１という時間にキャラクタジェネレータ５からの７本の信号線のすべてによって点灯信号がドライバー６に与えられる」（第２頁左上欄第１１〜１７行）　してみると、　　
　（２−３）．刊行物２には、複数のＬＥＤがマトリックス状に配置された表示素子の駆動に際して、アドレス信号がアドレスデコーダでデコードされ、当該デコードに基づいて列が特定され、さらに、信号線から点灯信号が横の行に入力される表示制御の構成が記載されている。　
　　　
（３）特開昭６１−２５９２９２号公報（以下「刊行物３」という）。　
　（３−１）．「［従来の技術］　従来、マイクロコンピュータを用いたシステムにおいて、複数のＬＥＤを点灯させるためにダイナミック方式を使用して点灯させていた。
［発明が解決しようとする問題点］　しかし、ＬＥＤの数が非常に多くなると点灯しているＬＥＤがちらついてみえるため、・・・。この発明は、かかる問題点を解決するためになされたもので、常時はマイクロコンピュータを使用せずに表示することができ、表示のためのプログラムを記憶する記憶回路も小規模となり、非常に多くのＬＥＤを点灯できる表示回路を得ることを目的とする。
［問題点を解決するための手段］　この発明に係わる表示回路は、多数の発光ダイオードを点灯させるための表示専用のレジスタを設けたものである。」（第２頁左上欄第２行〜同頁右上欄第１行）　
　（３−２）．「第１図はこの中央制御装置に適用されるこの発明の表示回路を示す回路図であり、この第１図において、７０はカウンタで、・・・、Ｃ２端子はデコーダ７２の端子Ｄ１に接続され、Ｄ２端子はデコーダ７２のＤ２端子に接続されている。（第２頁右上欄第１２行〜同頁左下欄第２行）　（３−３）．「デコーダ７２の出力はドライバ７３に出力するようになっている。このドライバ７３１の出力はＬＥＤ７７の各列線７８〜８１を駆動するようになっており、このＬＥＤ７７の行線はドライバ７３２〜７３４の出力で駆動するようになっている。」（第２頁左下欄第８〜１３行）　
　（３−４）．「信号線８５は各レジスタ７１１〜７１６、Ｄ０端子〜Ｄ２端子に接続されている。レジスタ７１１と７１２、７１３と７１４、７１５と７１６がそれぞれ対になってドライバー７３２〜７３４と抵抗７６１〜７６３を介して各ＬＥＤを駆動するようになっている。　なお、信号線８５はレジスタ７１１〜７１６にデータを送るものである。」（第２頁左下欄末行〜同頁右下欄第７行）
　してみると、　
　（３−５）．刊行物３には、複数のＬＥＤがマトリックス状に配置され表示素子の駆動に際してアドレス信号がアドレスデコーダでデコードされ、当該デコードに基づいて列が特定され、また、点灯信号が信号線から横の行に入力される表示制御の構成が記載されている。　
　　　
（４）実願昭６３−１６６１６４号（実開平２−８５４８１号）のマイクロフィルム（以下「刊行物４」という）。　　
　（４−１）．「前記表示装置は、装置自体を制御・監視する中央処理装置（以下、ＣＰＵと略称する）１０、前記ＣＰＵ１０に直結し、装置自体の制御に関する時間を計測するためのクロック２０、本考案の画面のスクロール動作処理も含むプログラム群および表示に関する固定のデータを格納するメモリＲＯＭ３０、入出力インターフェイス７０を介して取込まれる外部映像データまたは制御信号を記憶するメモリＲＡＭ４０、ＲＯＭ３０の表示処理（スクロール動作を含む）プログラムにより生成されるコード化された表示情報を処理し複数の出力を選び出すアドレスデコーダ６０を含む。さらに前記表示装置は、出力インターフェイス８０を介して受信するアドレスデコーダ６０の出力信号により表示素子を駆動する行ドライバ１００と列ドライバ１１０とを持つ表示ユニット１２０も含む。前述の各電子機器は、バスライン５０を介して相互のデータ転送を行っている。」（第５頁末行〜第６頁第１８行）　
　してみると、　
　（４−２）．刊行物４には、複数の表示素子がマトリックス状に配置された表示装置において、アドレスデコーダの出力信号により行ドライバと列ドライバが表示素子を駆動すること、及び表示処理（スクロール動作を含む）プログラムによりコード化された表示情報が処理されてアドレスデコーダから出力されることが記載されている。　
　　
（５）．特開平１−２６６５９５号公報
　（５−１）．「第１図は本発明の一実施例を示すブロック図であり、本実施例では、Ｌ．Ｍ．Ｄ．１０は１６×１６個のＬＥＤ１２によって形成されている。このＬＥＤ１２はＫ０〜Ｋ７およびＣ０〜Ｃ７の８本ずつ２組のコモン信号ライン１４とＫ００〜Ｋ１５およびＣ００〜Ｃ１５の１６本ずつ２組の点灯信号ライン１６によってマトリックス接続されている。　
　Ｌ．Ｍ．Ｄ．１０の各コモン信号ライン１４には、コモン信号ライン駆動部２０よりコモン信号が順次供給される。コモン信号ライン駆動部２０は、制御部６０からの３ビットの信号（Ａ〜Ｃ）をデコードして８つの信号（Ｙ０〜Ｙ７）を生成するデコーダ２２、デコーダ２２の出力するＹ０信号〜Ｙ７信号を増幅し、コモン信号としてＫ０〜Ｋ７のコモン信号ライン１４へ供給するＰＮＰドライバ２４、同じくデコーダ２２からのＹ０信号〜Ｙ７信号を増幅し、コモン信号としてＣ０〜Ｃ７のコモン信号ライン１４へ供給するＰＮＰドライバ２６を備えている。」（第２頁左下欄第１７行〜同頁右下欄第１４行）　　　
　（５−２）．「Ｌ．Ｍ．Ｄ．１０の各点灯信号ライン１６には、コモン信号ライン駆動手段２０よりコモン信号が供給されているコモン信号ライン１４の、各ＬＥＤ１２の点灯／消灯を制御するための点灯信号が、点灯信号ライン駆動部４０より供給される。この点灯信号ライン駆動部４０は、制御部６０からの点灯情報をラッチする１６ビットの２つのレジスタ４２、４４、レジスタ４２の出力を増幅し、点灯信号としてＫ００〜Ｋ１５の点灯信号ライン１６に供給するＮＰＮドライバ４６、同じくレジスタ４４の出力を増幅し、点灯信号としてＣ００〜Ｃ１５の点灯信号ライン１６に供給するＮＰＮドライバ４８を備えている。」（第３頁左上欄第３行〜１４行）
　してみると、　
　（５−３）．刊行物５には、　
複数のＬＥＤがマトリックス状に配置され表示素子の駆動に際してアドレス信号がアドレスデコーダでデコードされ、当該デコードに基づいて列が特定され、また、点灯信号が信号線から横の行に入力される表示制御の構成が記載されている。　　
　　
［３］対比　
　（１）刊行物１に記載された発明と、本願請求項１に記載された発明とを対比する前に、当該請求項に記載されている、「表示信号出力手段」、「アドレス信号出力手段」、「能動化信号出力手段」等の用語の具体的意義を明らかにしておく。　
　前記各用語に関連する記載として、本願明細書の詳細な説明には以下の記載が認められる。　
　【００１９】に、　
　「しかし、上述の遊技機のように構成したのでは、可変表示装置の制御も含め、すべての遊技機の制御を基本回路に含まれるＭＰＵで、遊技制御プログラムにより行なうことになる。そのため、遊技機制御プログラムの負担が大きく、そのステップ数も大きくなるという問題が生じる。一方、遊技機制御プログラムの負担を軽減させるために制御を全てハード的に行なおうとすると、そのための回路が複雑化し、コストも高くなるという問題が生じる。」　
　【００４２】に、　
　「ＬＥＤデジット回路７０は、上述のように基本回路３７から図柄表示器２の図６における縦方向の列のうちのどの列のＬＥＤを表示駆動するかを特定するための情報を受取り、この情報をデコードして図柄表示器２の、特定された列を能動化するための信号を出力する。」（同欄第１３〜末行）　
　【００４３】に、　
　（Ａ）．「図６を参照して、基本回路３７は、１４行×１５列のマトリックス状に配置されたＬＥＤのうち、第１〜第７行目までの各ＬＥＤを駆動するための信号を出力するポートＡ６０と、ＬＥＤマトリックスの第８〜第１４行のＬＥＤを駆動するための信号を出力するポートＢ６１とを含む。ＬＥＤドライブ回路３０Ａは、ポートＡ６０から出力される信号に基づきスイッチングされて、図柄表示器２の第１〜第７行の各ＬＥＤに点灯信号を与えるためのトランジスタ６４と、ポートＢ６１から出力される信号に基づきスイッチングされて、図柄表示器２の第８〜第１４行目の各ＬＥＤに点灯信号として与えるためのトランジスタ６５とを含む。」（同欄第１〜８行）　　
　（Ｂ）．「ＬＥＤデジット回路（ポートＣ）７０は、基本回路３７（図５参照）から、図６のＬＥＤマトリックスの第１〜１５番のＬＥＤ列ならびに飾りＬＥＤ１０および記憶表示ＬＥＤ９のうちの１つを特定するための４ビットのアドレス信号Ａ０〜Ａ３を受取り、選択されたＬＥＤ列のみに“１”を、他のＬＥＤ列には“０”を与える１６ビットの信号に変換（デコード）してＬＥＤドライブ回路３０Ｂに与えるためのものである。」（同欄第９〜１４行）　　
　【００４８】に、　　
　（Ａ）．「基本回路３７はＬＥＤデジット回路（ポートＣ）７０に、０〜１５の１６通りの値を取るアドレス信号Ａ０〜Ａ３を与える。ＬＥＤデジット回路７０は、入力されるアドレス信号をデコードし、１６ビットの出力のうち、アドレス信号で特定される特定の１つの出力のみを“１”に、他のすべての出力を“０”としてＬＥＤドライブ回路３０Ｂに与える。ＬＥＤドライブ回路３０Ｂはこの信号に基づきスイッチングされて、図柄表示器２のＬＥＤマトリックスの各列のＬＥＤに信号を与える。これにより、“１”が与えられたＬＥＤ列に接続されたＬＥＤのみが点灯可能な状態となる。」（同欄第５〜１３行）
　（Ｂ）．「一方、基本回路３７は、ポートＡ６０、ポートＢ６１を介して、表示されるべきデータをＬＥＤのオン／オフで表わした信号をＬＥＤドライブ回路３０Ａに与える。ＬＥＤドライブ回路３０Ａはこの信号に基づきスイッチングされて図柄表示器２に点灯信号を与える。したがって、図柄表示器２のうち、ＬＥＤデジット回路７０によって能動化されたＬＥＤのうち、ポートＡ６０およびポートＢ６１から「点灯」を示す信号が与えられたもののみが点灯することになる。（同欄第１３〜１９行）　
　【００６８】に、　
　「ＳＢ４においては、ポートＡ６０およびポートＢ６１に、選択されたＬＥＤ列の各ＬＥＤで表示されるべきデータを示す信号が出力される。この処理により、選択された列に接続されたＬＥＤのうち、ポートＡ、Ｂから「点灯」を示すデータを受けたＬＥＤのみが点灯し、その他のＬＥＤは点灯しない。」　
　【００７４】に、　　
　「以上のようにこの発明にかかる遊技機においては、コモンカウンタの内容を１インクリメントし、その値をＬＥＤデジット回路７０に対して与えるだけで、ＬＥＤデジット回路７０が与えられたデータをデコードし、表示制御すべきＬＥＤ列に接続されたＬＥＤを能動化する。その他のＬＥＤはすべて能動化されない。」（同欄第１〜４行）　
　【００７５】に、　
　「それに対し、本発明にかかる遊技機においては、基本回路で管理すべきデータとしてはコモンカウンタの値のみでよく、ＬＥＤデジット回路がコモンカウンタの値をデコードすることにより、所望のＬＥＤ列のみを能動化することができる。そのため、プログラム量は図１２に示される構成に比べて比較的少なくてすむ。」（同欄第１〜４行）　
　【００７６】に、　
　「また、前述のようにＬＥＤデジット回路７０としては、通常アドレスデコーダとして用いられる集積回路を使用することができる。」　
　【００７８】に、　
　（Ａ）．「図１０のＬＥＤ出力処理のＳＢ４により、前記制御用プログラムに従って動作して、前記複数の表示素子を表示駆動させるための信号を表示素子列毎に順次出力する表示信号出力手段が構成されている。」（同欄第７〜９行）　
　（Ｂ）．「図１０のＬＥＤ出力処理のＳＢ１〜ＳＢ３により、前記制御用プログラムに従って動作して、前記表示信号出力手段により出力される信号に対応する表示素子列を指定するためのアドレス信号を生成し、該生成したアドレス信号を出力するアドレス信号出力手段が構成されている。」（同欄第９〜１３行）　
　（Ｃ）．「ＬＥＤデジット回路７０により、前記アドレス信号出力手段から出力されたアドレス信号をデコードして該アドレス信号に対応する表示素子列を選択し、該選択した表示素子列が前記表示信号出力手段から出力された信号に対応して表示駆動可能となるように、当該表示素子列を能動化させるための信号を出力する能動化信号出力手段が構成されている。そして、該能動化信号出力手段が前記表示制御手段とは独立して設けられた集積回路（ＬＥＤデジット回路７０）からなる。」（同欄第１３〜１９行）　
　
　上記記載から、以下のことが明らかである。
（あ）．「能動化信号出力手段」について、
　（ア）．上記【００７８】（Ｃ）の記載から、「集積回路（ＬＥＤデジット回路７０）」からなるものであること。　
　（イ）．当該「ＬＥＤデジット回路７０」は、前記【００７６】及び【００４２】、【００４３】（Ｂ）、【００４８】（Ａ）の記載から、アドレス信号をデコードするアドレスデコーダであること、その出力は、ＬＥＤドライブ回路に与えられること。　
　（ウ）．したがって、「能動化信号出力手段」は、アドレスデコーダとしての、ＬＥＤデジット回路７０である。　
　
（い）．「アドレス信号出力手段」について、
　前記【００４３】（Ｂ）、【００４８】（Ａ）、及び【００４２】、【００７８】（Ｂ）、【００７４】、【００７５】の記載から、　
　（ア）．アドレス信号が、図柄表示器２における縦方向の列のうちのどの列のＬＥＤを表示駆動するかを特定するために基本回路３７から出力される信号であること、　
　（イ）．この信号はデジット回路７０に入力され、デコードされて、ＬＥＤドライブ回路３０Ｂに出力されること、　
　（ウ）．カウンタから出力されること。　
　（エ）．したがって、「アドレス信号出力手段」とは、どの列のＬＥＤを表示駆動するかを特定するための信号を生成・出力するものであり、当該出力された信号は、デジット回路７０に入力されてデコードされるものである。　
　
（う）．「表示信号出力手段」について、　
　（ア）．前記【００７８】（Ａ）の記載から、表示素子を表示駆動させるための信号を表示素子列毎に順次出力するものであること。　
　（イ）．前記【００６８】の記載から、特定された表示素子列（ＬＥＤ列）において、各表示素子（ＬＥＤ）で表示されるべきデータの信号がポートＡ、ポートＢに出力されること。　
　（ウ）．前記【００４３】（Ａ）、【００４８】（Ｂ）の記載から、当該表示されるべきデータに関する信号が、基本回路３７からポートＡ、ポートＢを介してＬＥＤドライブ回路に与えられること。　
　（エ）．したがって、「表示信号出力手段」は、表示素子を表示駆動させるための信号、すなわち、デコーダで特定される列における各ＬＥＤを点灯表示する為の信号を表示素子列毎に順次ポートＡ、ポートＢを介して出力するものである。　
　
　（２）．そこで、前記用語の意義の下で刊行物１に記載された発明（前記（１−３））と、本願発明とを比較する。　
　両者は、
　遊技に関わる情報が表示される表示装置を備えた遊技機であって、前記表示装置は、複数の表示素子がマトリックス状に配設され、該複数の表示素子が選択的に表示駆動することにより表示動作を行ない、制御用プログラムに従って動作するプロセッサを有し、前記複数の表示素子を表示するための制御手段を備えた遊技機において一致し、以下の点において相違する。　
　（あ）．表示装置における表示手法として、本願発明では、「移動表示」と限定されているのに対し、刊行物１に記載された発明では限定されていない点。　
　（い）．表示素子の表示を制御する構成として、本願発明では、「表示信号出力手段」、及び「アドレス信号出力手段」を含む表示制御手段と、「能動化信号出力手段」の２者を備え、かつ後者は前者から独立して設けられた集積回路であるのに対し、刊行物１に記載された発明では、「処理部」と記載され、当該手段に区分けした構成として記載されていない点。　
　
　（３）．　相違点の検討
　相違点（あ）　　
　表示手法としてスクロール等の移動表示は前記（４−２）に示されるように周知の表示手法であるから、当該手法の限定は単なる設計的事項である。
　相違点（い）
　複数の表示素子をマトリックス状に配置した表示装置においては、表示駆動すべき縦の列を特定する構成として、アドレスカウンタの出力をアドレスデコーダでデコードすることにより列を特定し、特定された列で点灯表示されるべき表示素子に関するデータを、信号線から横の行のドライバに入力する表示制御は、前記（２−３）、（３−５）、（５−３）に示されるように周知の表示制御の構成である。　
　（ア）．そこで、本願の表示制御の構成と前記周知の表示制御の構成とを比較する。
　前者の「能動化信号出力手段」は、後者のアドレスデコーダに相当する。　前者の「アドレス信号出力手段」とは、前記したように、表示駆動するＬＥＤを特定するための信号を出力する為の手段であり、アドレスデコーダに入力される信号であることから、後者において、当該アドレス信号と同様の作用を行うアドレスカウンタの出力が認められる。　
　してみれば、「アドレス信号出力手段」が後者の表示制御の構成に具備されていることは明らかである。　　
　前者の「表示信号出力手段」は、前記（（１）（う）（エ））のように表示信号が、デコーダで特定される列において、各ＬＥＤを点灯表示する為の信号であり、後者においても当該表示信号と同様の作用を行う、点灯信号が認められ、しかも、共に表示素子列毎に順次出力されるものである。　
　してみれば、前者の表示信号出力手段に相当する構成が、表示制御の構成に具備されていることは明らかである。　
　以上のように、表示制御の構成として、両者とも「能動化信号出力手段」、「アドレス信号出力手段」、「表示信号出力手段」を具備するものであるから、両者の実質的な相違点は、「能動化信号出力手段」が、「アドレス信号出力手段」及び、「表示信号出力手段」と独立した集積回路から構成されているか否かの点となる。　
　しかしながら、機能・作用毎のブロック回路とし、それらを別構成とすることは、例えば、刊行物１にもメイン回路と、表示装置用処理部とを別基板に構成しているように、当業者が適宜行う慣用技術であり、このことは、例えば刊行物４にも、制御部６０、点灯信号ライン駆動部４０、及び「能動化信号出力手段」に相当するコモン信号ライン駆動部２０と、３ブロック化されたものが記載されているように、マトリックス状の表示装置においても変わるものではない。　　
　してみれば、機能・作用の観点から纏められることが明らかな「能動化信号出力手段」をブロック化すること、別回路構成とすることは当業者が容易に推考できることであり、しかも、回路を集積回路構成とすることも周知慣用技術である。
　さらに、当該回路構成による効果も格別のものとは認められないから、当該相違点は当業者が容易に成し得る程度のことである。
　
［４］むすび
  したがって、本願発明１は、引用刊行物に記載された発明に基づいて当業者が容易に発明をすることができたものであるので、特許法第２９条第２項の規定により特許を受けることができない。